(57)【要約】【課題】電子マネー記憶媒体への読み書きユニットの設置エリアを備品収納エリアとして有効利用できるようにする。【解決手段】筐体１と、前記筐体１の客側に設けられ、食事に用いる器具を収納する収納部６と、前記収納部６に設けられ、電子マネー記憶媒体への読み書きユニット９を載置する載置部７と、前記載置部７には前記食事に用いる器具１１を挿脱可能な連通部７ａとを有する。【選択図】図２
2012043162.tif 000002
【特許請求の範囲】
【請求項１】
筐体と、
前記筐体の客側に設けられ、食事に用いる器具を収納する収納部と、
前記収納部に設けられ、電子マネー記憶媒体への読み書きユニットを載置する載置部と、
前記載置部には前記食事に用いる器具を挿脱可能な連通部と、
を有することを特徴とする商品データ処理装置。
【請求項２】
前記連通部は、前記載置部に穿設される複数個の穴部であることを特徴とする請求項１記載の商品データ処理装置。
【請求項３】
前記載置部は、所定間隔を存して配設される複数個の載置片からなることを特徴とする請求項１記載の商品データ処理装置。
【請求項４】
前記連通部は、前記複数個の載置片の間の隙間であることを特徴とする請求項３記載の商品データ処理装置。
【請求項５】
前記載置部は、前記読取み書きユニットを前記収納部内に埋没する状態で載置することを特徴とする請求項１乃至４の何れか一項記載の商品データ処理装置。
【請求項６】
前記収納部内に前記載置部の下部側に位置して設けられ、前記収納部内を第１及び第２の収納用スペースに仕切る仕切り部材を備えることを特徴とする請求項１乃至４の何れか一項記載の商品データ処理装置。
【発明の詳細な説明】
【技術分野】
【０００１】
本発明の実施形態は、例えば、セルフチェック端末として使用される商品データ処理装置に関する。
【背景技術】
【０００２】
セルフチェックアウト端末では、電子マネーの決済を行うため、電子マネー記憶媒体を読取るためのリーダライタを有する。
【０００３】
ところで、この商品データ処理装置のリーダライタを搭載しない場合がある。
【先行技術文献】
【特許文献】
【０００４】
【特許文献１】特開２００７−２２６４９８号公報
【発明の概要】
【発明が解決しようとする課題】
【０００５】
しかしながら、従来においては、リーダライタを搭載しない場合には、その設置エリアを有効に利用することができず、無駄になってしまうという不都合があった。
【課題を解決するための手段】
【０００６】
上記の課題を解決するために、実施の形態は、筐体と、前記筐体の客側に設けられ、食事に用いる器具を収納する収納部と、前記収納部に設けられ、電子マネー記憶媒体への読み書きユニットを載置する載置部と、前記載置部には前記食事に用いる器具を挿脱可能な連通部とを有することを特徴とする。
【図面の簡単な説明】
【０００７】
【図１】第１の実施の形態であるセルフチェックアウト端末を示す斜視図。
【図２】図１のセルフチェックアウト端末の収納部を示す斜視図。
【図３】図２の収納部内にリーダライタが設置された状態を示す斜視図。
【図４】図３の収納部を示す側断面図。
【図５】図２の収納部内に備品が収納された状態を示す斜視図。
【図６】図５の収納部を示す側断面図。
【図７】第２の実施の形態である収納部を示す斜視図。
【図８】図７の収納部を示す側断面図。
【図９】第３の実施の形態である収納部を示す側断面図。
【発明を実施するための形態】
【０００８】
以下、実施の形態を図面を参照して詳細に説明する。
【０００９】
（第１の実施の形態）
図１は、商品データ処理装置であるセルフチェックアウト端末を示す斜視図である。
【００１０】
図中１は、セルフチェックアウト端末の筐体で、この筐体１は、客側にテーブル面２と、このテーブル面２の後部側から垂直に立ち上がる垂直面部３を有している。
【００１１】
前記垂直面部３には各種ユーザインターフエース、例えば、商品に付された商品コードを読み取るバーコードスキャナ４などが配置されている。また、レシートを発行するレシート発行口（図示しない）などが配設されている。
【００１２】
前記筐体1内には、食事に用いられる器具を収納するための収納部６が設けられている。前記収納部６はその上面開口部を前記テーブル面２に位置させている。前記収納部６内には図２に示すように載置部７が設けられ、この載置部７上には、図３及び図４に示すように、必要に応じて電子マネー記憶媒体の読み取り／書き込みユニットとしてのリーダライタ９が載置されるようになっている。リーダライタ９は、例えば非接触ＩＣカードを翳させることにより、非接触ＩＣカードに対し情報を読み書きするものである。
【００１３】
載置部７はテーブル面２から所定寸法下方に位置し、載置部７上に載置されるリーダライタ９はテーブル面２から上方へ突出することなく埋没した状態で収納されるようになっている。
【００１４】
載置部７には、連通部としての四角形状の穴部７ａが多数個縦横に穿設されている。穴部７ａは、後述する備品としての割り箸などを挿入でき、かつ、リーダライタ９が落下しない程度の大きさに形成されている。
【００１５】
また、穴部７ａのピッチは、載置部７がリーダライタ９の重量や操作などで発生する負荷に十分耐えられるように考慮されている。
【００１６】
なお、穴部７ａの形状としては、四角形状に限られることなく、丸形状などであってもよく、要は、備品を挿入できる大きさの形状であればよい。
【００１７】
ところで、上記したように構成されるセルフチェックアウト端末において、使用者によっては、リーダライタ９を使用しないことがある。
【００１８】
リーダライタ９を使用しない場合には、図５及び図６に示すように、割り箸１１などの備品を載置部７の穴部７ａから収納部６内に挿入して収納することができる。
【００１９】
第１の実施形態の効果としては、載置部７上にリーダライタ９を載置しない場合には、割り箸１１などの備品を収納部６内に収納することができ、リーダライタ搭載エリアを備品収納エリアとして有効利用することが可能となる。
【００２０】
また、載置部７上に載置されるリーダライタ９はテーブル面２から上方へ突出することなく埋没した状態で収納部６内に収納でき、利用者が商品をバーコードスキャナ４に沿って移動させてその商品コードを読み取る際に、リーダライタ９が邪魔になることもなく、スムーズな読取操作が可能となる。
【００２１】
（第２の実施の形態）
図７及び図８は、第２の実施の形態を示すものである。
【００２２】
なお、第１の実施の形態で示した部分と同一部分は同一番号を付してその説明を省略する。
【００２３】
上記した第１の実施の形態では、リーダライタ９を載置部７上に載置したが、第２の実施の形態では、リーダライタ９を複数個の載置片１３上に載置している。
【００２４】
複数個の載置片１３は、収納部６内の角隅部にそれぞれ水平に突設され、複数個の載置片１３間の隙間１３ａが連通部となっている。
【００２５】
この第２の実施の形態においても、リーダライタ９を搭載しない場合には、割り箸などの備品１１を載置片１３間の隙間１３ａから収納部６内に挿入して収納することができ、リーダライタ搭載エリアを備品収納エリアとして有効利用することが可能となる。
【００２６】
（第３の実施の形態）
図９は、第３の実施の形態を示すものである。
【００２７】
なお、第１の実施の形態で示した部分と同一部分は同一番号を付してその説明を省略する。
【００２８】
この第３の実施の形態では、収納部６内が仕切部材１５によって第１及び第２の収納スペース６ａ，６ｂに仕切られ、第２の収納スペース６ｂは第１の収納スペース６ａよりも底上げされている。この底上げされた第２のスペース６ｂ内にスプーン１６などが収納され、第１の収納用スペース６ｂ内には割り箸１１が収納されている。
【００２９】
なお、上記した実施の形態では、電子マネー記憶媒体として非接触式のＩＣカードを例に挙げたが、これに限られることなく、携帯電話などに搭載された電子マネー記憶媒体であっても良い。
【００３０】
また、食事に用いる器具としては、割り箸やスプーンに限られることなく、さじ、レンゲ、フォークなどであっても良い。
【００３１】
なお、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３２】
１…筐体、２…テーブル面、３…垂直面部、４…バーコードスキャナ（インターフェース）、６…凹所、６ａ…第１の空間部、６ｂ…第２の空間部、７…載置部（載置手段）、７ａ…穴部（連通部）、１１…割り箸（器具）、１３…載置片（載置手段）、１３ａ…隙間（連通部）、１５…仕切り部材、１６…スプーン（器具）。
【図１】
2012043162.tif 000003
【図２】
2012043162.tif 000004
【図３】
2012043162.tif 000005
【図４】
2012043162.tif 000006
【図５】
2012043162.tif 000007
【図６】
2012043162.tif 000008
【図７】
2012043162.tif 000009
【図８】
2012043162.tif 000010
【図９】
2012043162.tif 000011